(57)【特許請求の範囲】
【請求項１】
観音開き式扉の先閉じ扉及び後閉じ扉を各々枢支する左右の縦枠と、縦枠の上部間に架設された上枠とを備えた開口枠における前記上枠の表裏両面と先閉じ扉及び後閉じ扉の表裏両面とを夫々面一状に形成し、先閉じ扉及び後閉じ扉の上面に扉先端側が枢支軸芯側より低くなるように段差を形成し、少なくとも低くした扉先端側上面部分には、扉開き方向側の扉面と面一状に立ち上がった立上り板部を設ける一方、前記上枠に対して固定された状態に設置される基部と、基部に対して鉛直方向の軸芯周りで回動自在に連結され且つ上枠から扉開き方向側へ突出するように付勢された回動アームとを備え、回動アームの先端部を前記立上り板部の扉閉じ方向側の側面に当接させて後閉じ扉の閉じ動作を一時的に規制し、回動アームを先閉じ扉の先端部で突出方向と反対方向に押し戻すことにより、後閉じ扉の閉じ動作を許容するように構成した扉閉鎖順位調整器を、前記上枠の前記扉先端側上面部分と対向する位置に、扉の厚み内に格納される状態に設けたことを特徴とする扉閉鎖順位調整器を組み込んだ観音開き式扉。
【請求項２】
先閉じ扉及び後閉じ扉の高くした枢支軸芯側上面部分に開口部を形成し、こられの開口部に、夫々、コンシールド型ドアチェックの本体を嵌め込んだ状態に設け、上枠の下面で且つ扉閉鎖順位調整器の位置よりも先閉じ扉及び後閉じ扉の枢支軸芯側へ偏った位置に開口部を形成し、これらの開口部に、夫々、前記本体に連設したスライドシューのガイドレールを嵌め込んだ状態に設けたことを特徴とする請求項１に記載の扉閉鎖順位調整器を組み込んだ観音開き式扉。
【発明の詳細な説明】
【技術分野】
【０００１】
本発明は、観音開き式扉の先閉じ扉及び後閉じ扉を各々枢支する左右の縦枠と、縦枠の上部間に架設された上枠（欄間パネル）とを備えた開口枠に、上枠に対して固定された状態に設置される基部と、基部に対して鉛直方向の軸芯周りで回動自在に連結され且つ上枠から扉開き方向側へ突出するように付勢された回動アームとを備え、回動アームの先端部を後閉じ扉に当接させて後閉じ扉の閉じ動作を一時的に規制し、回動アームを先閉じ扉の先端部で突出方向と反対方向に押し戻すことにより、後閉じ扉の閉じ動作を許容するように構成した扉閉鎖順位調整器を組み込んだ観音開き式扉に関し、例えば、ビル内や地下街等の壁開口において火災時の延焼を防止するための鋼製防火扉として利用される。
【背景技術】
【０００２】
鉛直方向の枢支軸芯周りに揺動開閉する２枚の扉を順序よく閉鎖する扉閉鎖順位調整器としては、特許文献１〜６に示すように、開口枠の上枠に対して固定された状態に設置される基部と、基部に対して鉛直方向の軸芯周りで回動自在に連結され且つ上枠から扉開き方向側へ突出するように付勢された回動アームとを備え、回動アームの先端部を後閉じ扉に当接させて後閉じ扉の閉じ動作を一時的に規制し、回動アームを先閉じ扉の先端部で突出方向と反対方向に押し戻すことにより、後閉じ扉の閉じ動作を許容するように構成した扉閉鎖順位調整器が、最も一般的であり、多くの観音開き式扉に広く採用されている。
【０００３】
しかし、従来のこの種の扉閉鎖順位調整器では、何れも、特許文献１〜６に記載されているとおり、回動アームの先端部（ローラー）を後閉じ扉の扉閉じ方向側の扉面に当接させることによって、後閉じ扉の閉じ動作を規制するように構成されていた。
【０００４】
そのため、扉閉鎖順位調整器を上枠（欄間パネル）に観音開き式扉の扉面よりも側方へ突出した状態に設置する必要があり、建築意匠上、扉閉鎖順位調整器を上枠（欄間パネル）によって視覚的に隠蔽する状態に設置したい場合、扉閉鎖順位調整器の格納に必要な容積分、上枠の見込み（奥行き寸法）を扉の厚みより大きく設定しなければならず、その結果、扉面と上枠（欄間パネル）との間に段差ができ、扉面と欄間パネルが面一状となるスリムな外観を得ることができなかった。
【０００５】
たとえ、ドアチェック（ドアクローザー）として建具金物が露出しないコンシールド型ドアチェックを採用して、ドアチェックを観音開き式扉の厚み内に納め、扉閉鎖状態において、ドアチェックと扉閉鎖順位調整器が外部から見えないように工夫しても、扉面とその上方の欄間パネルとの間に段差ができるので、扉と欄間パネルに一体性のある意匠的に優れた防火扉を実現することができなかったのである。
【先行技術文献】
【特許文献】
【０００６】
【特許文献１】特開２００７−１９７９０９号公報
【特許文献２】特開２００７−１５４５０１号公報
【特許文献３】特開２００４−１４３８６５号公報
【特許文献４】特開平１１−１６６３４０号公報
【特許文献５】特開平１０−１９６２１６号公報
【特許文献６】実開平６−４５０３１号公報
【発明の概要】
【発明が解決しようとする課題】
【０００７】
本発明は、上記の問題点を踏まえてなされたものであって、その目的とするところは、扉面とその上方の欄間パネルが面一状で、一体性のある意匠的に優れた防火扉を実現できるようにした扉閉鎖順位調整器が組み込まれた観音開き式扉を提供することにある。
【課題を解決するための手段】
【０００８】
上記の目的を達成するために、本発明が講じた技術的手段は、次のとおりである。即ち、請求項１に記載の発明による扉閉鎖順位調整器を組み込んだ観音開き式扉は、観音開き式扉の先閉じ扉及び後閉じ扉を各々枢支する左右の縦枠と、縦枠の上部間に架設された上枠とを備えた開口枠における前記上枠の表裏両面と先閉じ扉及び後閉じ扉の表裏両面とを夫々面一状に形成し、先閉じ扉及び後閉じ扉の上面に扉先端側が枢支軸芯側より低くなるように段差を形成し、少なくとも低くした扉先端側上面部分には、扉開き方向側の扉面と面一状に立ち上がった立上り板部を設ける一方、前記上枠に対して固定された状態に設置される基部と、基部に対して鉛直方向の軸芯周りで回動自在に連結され且つ上枠から扉開き方向側へ突出するように付勢された回動アームとを備え、回動アームの先端部を前記立上り板部の扉閉じ方向側の側面に当接させて後閉じ扉の閉じ動作を一時的に規制し、回動アームを先閉じ扉の先端部で突出方向と反対方向に押し戻すことにより、後閉じ扉の閉じ動作を許容するように構成した扉閉鎖順位調整器を、前記上枠の前記扉先端側上面部分と対向する位置に、扉の厚み内に格納される状態に設けたことを特徴としている。
【０００９】
請求項２に記載の発明は、請求項１に記載の扉閉鎖順位調整器を組み込んだ観音開き式扉であって、先閉じ扉及び後閉じ扉の高くした枢支軸芯側上面部分に開口部を形成し、こられの開口部に、夫々、コンシールド型ドアチェックの本体を嵌め込んだ状態に設け、上枠の下面で且つ扉閉鎖順位調整器の位置よりも先閉じ扉及び後閉じ扉の枢支軸芯側へ偏った位置に開口部を形成し、これらの開口部に、夫々、前記本体に連設したスライドシューのガイドレールを嵌め込んだ状態に設けたことを特徴としている。
【発明の効果】
【００１０】
請求項１に記載の発明によれば、先閉じ扉及び後閉じ扉の上面に扉先端側が枢支軸芯側より低くなるように段差を形成して、低くした扉先端側上面部分に扉開き方向側の扉面と面一状に立ち上がった立上り板部を設け、扉閉鎖順位調整器の回動アーム先端部を前記立上り板部の扉閉じ方向側の側面に当接させて後閉じ扉の閉じ動作を一時的に規制するようにしたので、上枠（欄間パネル）を表裏両面とも先閉じ扉及び後閉じ扉と面一状にした形状としているにもかかわらず、扉と同じ厚み内に扉閉鎖順位調整器を格納することができるようになり、扉面と欄間パネルを面一状とした一体性のあるスリムな外観を得ることができる。
【００１１】
請求項１に記載の発明は、ドアチェック（ドアクローザー）として、扉を閉鎖した状態において、ドアチェック本体と扉を連結する腰折れリンクが扉面から直角方向に突き出すスタンダード型や、扉を閉鎖した状態において、腰折れリンクが扉面と平行に折り畳まれるパラレル型の面付ドアチェックを採用して実施することも可能であるが、請求項２に記載の発明のように、コンシールド型ドアチェックを採用し、先閉じ扉及び後閉じ扉の高くした枢支軸芯側上面部分に開口部を形成し、こられの開口部に、夫々、コンシールド型ドアチェックの本体を嵌め込んだ状態に設け、上枠の下面で且つ扉閉鎖順位調整器の位置よりも先閉じ扉及び後閉じ扉の枢支軸芯側へ偏った位置に開口部を形成し、これらの開口部に、夫々、前記本体に連設したスライドシューのガイドレールを嵌め込んだ状態に設けるようにすれば、扉閉鎖状態において、ドアチェックと扉閉鎖順位調整器の双方が扉の厚み内に納まるので、建具金物が外部から見えず、しかも、扉面とその上方の欄間パネルとの間に段差がないので、扉と欄間パネルに一体性のある意匠的に優れた防火扉を実現することが可能である。
【図面の簡単な説明】
【００１２】
【図１】本発明に係る観音開き式扉の縦断側面図である。
【図２】観音開き式扉が開いた状態を示す概略平面図である。
【図３】扉閉鎖順位調整器によって後閉め扉の閉じ動作が一時的に規制された状態を示す観音開き式扉の概略平面図である。
【図４】扉閉鎖順位調整器による後閉め扉の閉じ動作の規制が解除された状態を示す観音開き式扉の概略平面図である。
【図５】観音開き式扉が閉鎖した状態を示す概略平面図である。
【図６】扉閉鎖順位調整器によって後閉め扉の閉じ動作が一時的に規制された状態を示す要部の縦断側面図である。
【図７】扉閉鎖順位調整器の格納状態を示す要部の縦断側面図である。
【図８】コンシールド型ドアチェックの作動状態を示す要部の縦断側面図である。
【図９】コンシールド型ドアチェックの格納状態を示す要部の縦断側面図である。
【図１０】ドアチェック本体と扉閉鎖順位調整器を取り付ける前の状態を示す上枠の要部の縦断側面図である。
【図１１】扉の要部の縦断側面図である。
【図１２】扉上面の骨組を形成する鋼板製フレームの要部の斜視図である。
【発明を実施するための形態】
【００１３】
以下、本発明の実施形態を図面に基づいて説明する。図１〜図５において、１は、扉閉鎖順位調整器２とコンシールド型ドアチェック３を組み込んだ観音開き式扉であり、室内と廊下を防火区画する鋼製防火扉として構成されている。この観音開き式扉１おいては、図示の通り、先閉じ扉４ａ及び後閉じ扉４ｂを各々枢支する左右の縦枠５ａ、５ｂと、縦枠５ａ、５ｂの上部間に架設された上枠（欄間パネル）６を備えた門型の開口枠における前記上枠６の表裏両面と先閉じ扉４ａ及び後閉じ扉４ｂの表裏両面とを夫々面一状に形成してある。具体的には、先閉じ扉４ａ及び後閉じ扉４ｂの厚みを約５０ｍｍとし、上枠（欄間パネル）６の見込み（奥行き寸法）を扉の厚みと一致させてある。Ｐは扉枢支軸、７は躯体床、８は床材、９は天井材である。
【００１４】
先閉じ扉４ａ及び後閉じ扉４ｂの上面１０には、図７〜図９、図１１、図１２に示すように、扉上面の骨組となる鋼板製フレーム１１を曲げ加工することにより、扉先端側が枢支軸芯側より低くなるように段差Ｈを形成し、少なくとも低くした扉先端側上面部分１０ａには、扉開き方向側の扉面（図示の例では室内に面する扉面）と面一状に立ち上がった立上り板部１２を設け、高くした枢支軸芯側上面部分１０ｂにはコンシールド型ドアチェックの本体２２を嵌め込むための開口部１３を形成してある。
【００１５】
前記扉閉鎖順位調整器２は、図２に示すように、前記上枠６に対して固定された状態に設置される基部１４と、基部１４に対して鉛直方向の軸芯周りで回動自在に連結され且つ上枠６から扉開き方向側へ突出するようにバネ（図示せず）で付勢された回動アーム１５とを備えている。
【００１６】
そして、図３、図６に示すように、回動アーム１５の先端部に軸架したローラー１６を前記立上り板部１２の扉閉じ方向側の側面に当接させて後閉じ扉４ｂの閉じ動作を一時的に規制し、図４に示すように、回動アーム１５を先閉じ扉４ａの先端部に設けた目板１７で突出方向と反対方向に直接押し戻すことにより、後閉じ扉４ｂの閉じ動作を許容するように構成されており、前記上枠６の前記扉先端側上面部分１０ａと対向する位置に、上枠６の奥行き寸法内に格納される状態に、換言すれば、扉の厚み内に格納される状態に設けられている。
【００１７】
１８は、上枠６の下面で且つ前記扉先端側上面部分１０ａと対向する位置に固定された
戸当りフレームであり、戸当りフレーム１８の側面には、前記立上り板部１２と当接する戸当りゴム１９が嵌め込まれている。戸当りフレーム１８に扉閉鎖順位調整器２の基部１４は、図１０に示すように、戸当りフレーム１８と上枠６下面との間に形成された凹部に水平方向から嵌め込まれ、ビス２０で戸当りフレーム１８に取り付けられている。図６、図７に示す２１は上枠６の下面と基部１４の間に介在させた扉閉鎖順位調整器用ライナーである。
【００１８】
前記コンシールド型ドアチェック３は、図１〜図５、図８、図９に示すように、減速装置（ダンパー）を内蔵した本体２２と、本体２２に連設され先端にスライドシュー２３を備えた揺動リンク２４と、スライドシュー２３のガイドレール２５等で構成されており、先閉じ扉４ａ及び後閉じ扉４ｂに対応して二組設けられている。各々の本体２２は、先閉じ扉４ａ及び後閉じ扉４ｂにおける枢支軸芯側上面部分１０ｂの開口部１３に嵌め込んだ状態に設けられている。上枠６の下面で且つ扉閉鎖順位調整器２の位置よりも先閉じ扉４ａ及び後閉じ扉４ｂの枢支軸芯側へ偏った位置には、開口部２６が形成されており、これらの開口部２６に、夫々、スライドシュー２３のガイドレール２５が嵌め込まれた状態に設けられている。
【００１９】
上記の構成によれば、先閉じ扉４ａ及び後閉じ扉４ｂの上面１０に扉先端側が枢支軸芯側より低くなるように段差Ｈを形成して、低くした扉先端側上面部分１０ａに扉開き方向側の扉面と面一状に立ち上がった立上り板部１２を設け、扉閉鎖順位調整器２の回動アーム１５先端部のローラー１６を前記立上り板部１２の扉閉じ方向側の側面に当接させて後閉じ扉４ｂの閉じ動作を一時的に規制するようにしたので、上枠（欄間パネル）６を表裏両面とも先閉じ扉４ａ及び後閉じ扉４ｂと面一状にした形状としているにもかかわらず、扉と同じ厚み内に扉閉鎖順位調整器２を格納することができるようになり、扉面と欄間パネルを面一状とした一体性のあるスリムな外観を得ることができる。
【００２０】
殊に、ドアチェック３として、コンシールド型ドアチェック３を採用し、先閉じ扉４ａ及び後閉じ扉４ｂの高くした枢支軸芯側上面部分１０ｂに開口部１３を形成し、こられの開口部１３に、夫々、コンシールド型ドアチェック３の本体２２を嵌め込んだ状態に設ける一方、上枠６の下面で且つ扉閉鎖順位調整器２の位置よりも先閉じ扉４ａ及び後閉じ扉４ｂの枢支軸芯側へ偏った位置に開口部２６を形成し、これらの開口部２６に、夫々、前記本体２２に連設したスライドシュー２３のガイドレール２５を嵌め込んだ状態に設けたので、扉閉鎖状態において、ドアチェック３と扉閉鎖順位調整器２の双方が扉の厚み内に納まることになり、建具金物が外部から見えず、しかも、扉面とその上方の欄間パネルとの間に段差がないので、扉と欄間パネルに一体性のある意匠的に優れた防火扉を実現することが可能である。
【符号の説明】
【００２１】
１  観音開き式扉
２  扉閉鎖順位調整器
３  コンシールド型ドアチェック
４ａ  先閉じ扉
４ｂ  後閉じ扉
５ａ、５ｂ  縦枠
６  上枠（欄間パネル）
７  躯体床
８  床材
９  天井材
１０  上面
１０ａ  扉先端側上面部分
１０ｂ  枢支軸芯側上面部分
１１  鋼板製フレーム
１２  立上り板部
１３  開口部
１４  基部
１５  回動アーム
１６  ローラー
１７  目板
１８  戸当りフレーム
１９  戸当りゴム
２０  ビス
２１  扉閉鎖順位調整器用ライナー
２２  本体
２３  スライドシュー
２４  揺動リンク
２５  ガイドレール
２６  開口部
【図１】
0005762341.tif 000002
【図２】
0005762341.tif 000003
【図３】
0005762341.tif 000004
【図４】
0005762341.tif 000005
【図５】
0005762341.tif 000006
【図６】
0005762341.tif 000007
【図７】
0005762341.tif 000008
【図８】
0005762341.tif 000009
【図９】
0005762341.tif 000010
【図１０】
0005762341.tif 000011
【図１１】
0005762341.tif 000012
【図１２】
0005762341.tif 000013